(57)【要約】【課題】構造を複雑化すること無く荷扱い時の外箱の破損を防止し、被梱包物の梱包時の作業性に優れた梱包装置を提供すること。【解決手段】四辺を折り曲げて形成したトレイ状の底板２に下部緩衝材３、上部緩衝材５と共に収められた被梱包物１に、下部に開口部を具備する外箱８を被せ、底板２と外箱８の外側にバンド１１を巻き付けて被梱包物１を支持する分離型空気調和機室外機の梱包装置であって、外箱８の開口部の四辺のうち少なくとも対向する二辺の各辺上の中間部にそれぞれ内側に折り曲げて重なり部を形成する折り返し部９を設け、開口部の当該辺上に折り返し部９による段差を形成することにより、開口部が二重となって強度が増し、また積み込みや積み降ろし等の輸送時に荷扱いを行う際に下段に積まれた梱包装置の角部やパレットなどと接触し易い外箱の開口部が折り返して段差になる為、接触し難くなる。【選択図】図１
2007022540.tif 000002
【特許請求の範囲】
【請求項１】
四辺を折り曲げて形成したトレイ状の底板と、前記底板に収めて被梱包物の下部を支持する下部緩衝材と、被梱包物の上部を支持する上部緩衝材を配置し、下部に開口部を具備する外箱を被せ、前記底板と前記外箱の外側にバンドを巻き付けて前記被梱包物を支持する分離型空気調和機室外機の梱包装置であって、前記外箱の前記開口部の四辺のうち少なくとも対向する二辺の各辺上の中間部にそれぞれ内側に折り曲げて重なり部を形成する折り返し部を設け、前記開口部の当該辺上に前記折り返し部による段差が形成されたことを特徴とする梱包装置。
【請求項２】
外箱の下部の開口部の四辺のうち少なくとも対向する二辺の各辺を内側に折り曲げて重なり部を形成する折り返し部を設け、前記開口部に前記折り返し部による段差が形成されたことを特徴とする請求項１に記載の梱包装置。
【発明の詳細な説明】
【技術分野】
【０００１】
本発明は、分離型空気調和機の室外機の梱包に用いられる梱包装置に関するものである。
【背景技術】
【０００２】
従来、この種の梱包装置としては、箱状に形成された底板の内部左右に下部緩衝材を配置して被梱包物を支持し、被梱包物の上部左右に被せて角隅部を衝撃等から保護する一対の上部緩衝材を配置し、上部緩衝材の上面に折り曲げられる内フラップと外フラップとを備え下部に開口部を具備する外箱を被せてなり、この外箱の外側にバンドを巻き付けて結束され梱包を完成させるものであった。
【０００３】
図５は、特許文献１に記載された従来の梱包装置の分解斜視図を示すものである。図５に示すように、箱状に形成された底板２と、この底板２の内部左右に配置して被梱包物１を支持する下部緩衝材３と、被梱包物１の上部左右に被せて角隅部を衝撃等から保護する一対の上部緩衝材５と、下部を底板２の内角面と下部緩衝材３の間に挿入し、上部内面を対応する上部緩衝材５の外角面に当接させるようにした断面Ｌ字状のコーナー補強板１２と、上部緩衝材５の上面に折り曲げられる内フラップ１３と外フラップ１４とを備え下部に開口部を具備する外箱８と、この外箱８の外側に巻き付けて結束するバンド１１から構成されている。（例えば、特許文献１参照）。
【特許文献１】特開２００３−２３７８７７号公報
【発明の開示】
【発明が解決しようとする課題】
【０００４】
しかしながら、前記従来の構成では、外箱の下部に具備する開口部は底板の底と合致するように形成されて全体を覆う構成であるため、積み込みや積み降ろし等の輸送時に荷扱いを行う際に外箱の開口部、特に長手方向の二辺が下段に積まれた梱包装置の角部やパレットなどに接触して破れが発生し外観を損なうという課題を有していた。
【０００５】
本発明は、前記従来の課題を解決するもので、構造を複雑化すること無く荷扱い時の外箱の破損を防止し、被梱包物の梱包時の作業性に優れた梱包装置を提供することを目的とする。
【課題を解決するための手段】
【０００６】
前記従来の課題を解決するために、本発明の梱包装置は、四辺を折り曲げて形成したトレイ状の底板に下部緩衝材、上部緩衝材と共に収められた被梱包物に、下部に開口部を具備する外箱を被せ、外側にバンドを巻き付けて分離型空気調和機室外機を支持する梱包装置であって、外箱の開口部の四辺のうち少なくとも対向する二辺の各辺上の中間部にそれぞれ内側に折り曲げて重なり部を形成する折り返し部を設け、開口部に段差を形成した構成とするものである。
【０００７】
これによって、開口部が二重となって強度が増し、また開口部の段差部分は積み込みや積み降ろし等の荷扱いを行う際に下段に積まれた梱包装置の角部やパレットなどと接触し難くなる。
【発明の効果】
【０００８】
本発明の梱包装置は、構造を複雑化すること無く荷扱い時の外箱の破損を防止し、被梱包物の梱包時の作業性に優れたものとなる。
【発明を実施するための最良の形態】
【０００９】
第１の発明は、四辺を折り曲げて形成したトレイ状の底板に収めて被梱包物の下部を支持する下部緩衝材と、被梱包物の上部を支持する上部緩衝材を配置し、下部に開口部を具備する外箱を被せ、外側にバンドを巻き付けて分離型空気調和機室外機を支持する梱包装置であって、外箱の開口部の四辺のうち少なくとも対向する二辺の各辺上の中間部にそれぞれ内側に折り曲げて重なり部を形成する折り返し部を設け、開口部の当該辺上に折り返し部による段差を形成する構造になるため、開口部が二重となり強度が増し、また積み込みや積み降ろし等の輸送時に荷扱いを行う際に下段に積まれた梱包装置の角部やパレットなどと接触し易い外箱の開口部が折り返して段差になる為、接触し難くなるので外箱の破れを防止する効果を得ることができ品質の向上が図れる。
【００１０】
第２の発明は、特に、第１の発明の折り返し部を外箱の下部の開口部の四辺のうち少なくとも対向する二辺の各辺を内側に折り曲げて形成し、開口部に折り返し部による段差が形成する構造になるため、外箱を被せる梱包作業を行う際に底板の上端部に外箱の開口部が引っ掛かることなく作業が行え作業性を向上することができる。
【００１１】
以下、本発明の実施の形態について、図面を用いて説明する。なお、この実施の形態によって本発明が限定されるものではない。
【００１２】
（実施の形態１）
図１は、本発明の第１の実施の形態における梱包装置の分解斜視図、図２は、本発明の第１の実施の形態における梱包装置の縦断面図、図３は、本発明の第１の実施の形態における外箱の斜視図を示すものである。
【００１３】
図１において、被梱包物１は分離型空気調和機の室外機である。四辺を折り曲げて形成したダンボール等からなるトレイ状の底板２に被梱包物１の下部を支持する下部緩衝材３が接着などにて固定されており、被梱包物１はこの下部緩衝材３の上に配置されてほこりなどから被梱包物１を保護する袋４が被せられ、上部には一対の上部緩衝材５を左右に配置して被梱包物１を支持し、上部の開口部の四辺に内フラップと外フラップ（図示せず）を備え下部に開口部を具備する外箱８を被せられ、外側にバンド１１を巻き付けて結束し梱包を完成している。
【００１４】
尚、図５で示される従来の構成で使用されていた、下部を底板２の内角面と下部緩衝材３の間に挿入し、上部内面を対応する上部緩衝材５の外角面に当接させるようにした断面Ｌ字状のコーナー補強板１２をこの構成に加えてもよい。
【００１５】
図２、図３において、外箱８の開口部の四辺のうち対向する長手方向の二辺の各辺上の中間部に折り返し部９が設けられ、外箱８を被せる際にそれぞれ外箱８の内側に折り曲げられて重なり部が形成されるとともに、開口部の当該辺上に折り返し部９による段差が形成される。
【００１６】
以上のように、外箱の開口部の長手方向の二辺の各辺上の中間部が二重となる構造になるため強度が増し、また、積み込みや積み降ろし等の輸送時に荷扱いを行う際に下段に積まれた梱包装置の角部やパレットなどと接触し易い外箱の開口部が折り返して段差になる為、接触し難くなるので外箱の破れを防止する効果を得ることができ品質の向上が図れる。
【００１７】
尚、本実施の形態では、外箱の開口部の長手方向の二辺の各辺上の中間部に折り返し部を設けたが、長手方向の二辺でなくてもよいし、四辺全てに設けてもよい。
【００１８】
（実施の形態２）
図４は、本発明の第２の実施の形態における外箱の斜視図を示すものである。また、本実施の形態における梱包装置の分解斜視図は図１と同様であるので、これを流用する。
【００１９】
図４に示すように、外箱８の下部の開口部の四辺のうち対向する長手方向の二辺の各辺に折り返し部１０が設けられ、外箱８を被せる際にそれぞれ外箱８の内側に折り曲げられて重なり部が形成され、開口部に折り返し部９による段差が形成される。
【００２０】
以上のように、外箱を被せる梱包作業を行う際に開口部の四辺のうち対向する長手方向の二辺が折り返されて二重となる構造になるため強度が増し、また、余の一組の各辺に対しては段差が形成されるので、積み込みや積み降ろし等の輸送時に荷扱いを行う際に下段に積まれた梱包装置の角部やパレットなどと接触し難くなるので外箱の破れを防止する効果を得ることができ品質の向上が図れる。
【００２１】
更に、同長手方向の一組の辺内では段差がなくなって等しい高さになるので、底板の上端部に外箱の同辺内の一部だけが引っ掛かることなく作業が行え作業性を向上することができる。
【００２２】
尚、本実施の形態では、外箱の開口部の長手方向の二辺の各辺上の中間部に折り返し部を設けたが、長手方向の二辺でなくてもよい。
【産業上の利用可能性】
【００２３】
以上のように、本発明は、構造を複雑化すること無く荷扱い時の外箱の破損を防止し、梱包時の作業性に優れたもので、下部に開口部を具備する外箱を使用する製品の梱包装置の用途に適している。
【図面の簡単な説明】
【００２４】
【図１】本発明の実施の形態１における梱包装置の分解斜視図
【図２】本発明の実施の形態１における梱包装置の縦断面図
【図３】本発明の実施の形態１における外箱の斜視図
【図４】本発明の実施の形態２における外箱の斜視図
【図５】従来の梱包装置の分解斜視図
【符号の説明】
【００２５】
１  被梱包物
２  底板
３  下部緩衝材
４  袋
５  上部緩衝材
６  内フラップ
７  外フラップ
８  外箱
９、１０  折り返し部
１１  バンド
１２  コーナー補強板
１３  内フラップ
１４  外フラップ
【図１】
2007022540.tif 000003
【図２】
2007022540.tif 000004
【図３】
2007022540.tif 000005
【図４】
2007022540.tif 000006
【図５】
2007022540.tif 000007